(57)【要約】【課題】顧客は、価格変更がなされた商品の売場から離れていても、この価格変更を知ることができるようにすること。【解決手段】  店の商品売場に設置され各商品カテゴリーに各々対応する非接触ＩＣカードリーダーと、店の端末と、ネットワークで接続されているサーバであって、  非接触ＩＣカードリーダーから、携帯メールアドレスを受信して、この非接触ＩＣカードリーダーに対応する商品カテゴリーに属する商品の価格変更情報を、この携帯メールアドレスに送信することを、この携帯メールアドレスを持つ会員が希望しているとして、この携帯メールアドレスを登録する機能と、  端末にて、店の人に、商品の価格変更情報を登録させる機能と、  登録された商品の価格変更情報を、登録している携帯メールアドレスの内、この商品の価格変更情報を希望している会員のもの宛てに電子メールで送信する機能とを有することを特徴とする価格変更通知サーバ。【選択図】なし【特許請求の範囲】
【請求項１】
店の商品売場に設置され各商品カテゴリーに各々対応する非接触ＩＣカードリーダーと、店の端末と、ネットワークで接続されているサーバであって、
非接触ＩＣカードリーダーから、携帯メールアドレスを受信して、この非接触ＩＣカードリーダーに対応する商品カテゴリーに属する商品の価格変更情報を、この携帯メールアドレスに送信することを、この携帯メールアドレスを持つ会員が希望しているとして、この携帯メールアドレスを登録する機能と、
端末にて、店の人に、商品の価格変更情報を登録させる機能と、
登録された商品の価格変更情報を、登録している携帯メールアドレスの内、この商品の価格変更情報を希望している会員のもの宛てに電子メールで送信する機能とを有することを特徴とする価格変更通知サーバ。
【請求項２】
店の出口に設置されている非接触ＩＣカードリーダーとも、ネットワークで接続されており、
店の出口に設置されている非接触ＩＣカードリーダーから携帯メールアドレスを受信して、この携帯メールアドレスの登録を削除する機能も有することを特徴とする請求項１に記載の価格変更通知サーバ。
【請求項３】
店の商品売場に設置され各商品カテゴリーに各々対応する非接触ＩＣカードリーダーと、店の端末と、ネットワークで接続されているサーバが実行する方法であって、
非接触ＩＣカードリーダーから、携帯メールアドレスを受信して、この非接触ＩＣカードリーダーに対応する商品カテゴリーに属する商品の価格変更情報を、この携帯メールアドレスに送信することを、この携帯メールアドレスを持つ会員が希望しているとして、この携帯メールアドレスを登録する工程と、
端末にて、店の人に、商品の価格変更情報を登録させる工程と、
登録された商品の価格変更情報を、登録している携帯メールアドレスの内、この商品の価格変更情報を希望している会員のもの宛てに電子メールで送信する工程とを含むことを特徴とする価格変更通知方法。
【請求項４】
店の出口に設置されている非接触ＩＣカードリーダーとも、ネットワークで接続されており、
店の出口に設置されている非接触ＩＣカードリーダーから携帯メールアドレスを受信して、この携帯メールアドレスの登録を削除する工程も含むことを特徴とする請求項３に記載の価格変更通知方法。
【発明の詳細な説明】
【技術分野】
【０００１】
商品の価格変更を顧客に通知する技術に関する。
【背景技術】
【０００２】
一般に、食料品を販売している店では、賞味期限前に売り切るために、賞味期限が迫ると、値下げをして販売を促進する。この値下の顧客への通知は、値下対象商品の売場で、値下げを表示することで行われることが多く、たまたま通りかかった顧客や頃合を見計らって売場を訪れる顧客が主に購入している。
【０００３】
しかしながら、値下げの表示は、値下対象商品の売場でしか見えない。このため、誰しも、値段が安くなれば購買意欲が出るが、値下対象商品の売場から離れていれば、安くなったとの情報が得られず、安く買えないことが多い。この結果、値下対象商品を購入する顧客が少なくなるので、値下対象商品が売れ残り、さらに値下げをしたり、捨てたりしてして店に損失が出ることも多い。
【発明の開示】
【発明が解決しようとする課題】
【０００４】
本発明は斯かる背景技術に鑑みてなされたもので、顧客は、価格変更がなされた商品の売場から離れていても、この価格変更を知ることができるようにすることを課題とする。
【課題を解決するための手段】
【０００５】
本発明において上記課題を達成するために、まず請求項１の発明では、店の商品売場に設置され各商品カテゴリーに各々対応する非接触ＩＣカードリーダーと、店の端末と、ネットワークで接続されているサーバであって、
非接触ＩＣカードリーダーから、携帯メールアドレスを受信して、この非接触ＩＣカードリーダーに対応する商品カテゴリーに属する商品の価格変更情報を、この携帯メールアドレスに送信することを、この携帯メールアドレスを持つ会員が希望しているとして、この携帯メールアドレスを登録する機能と、
端末にて、店の人に、商品の価格変更情報を登録させる機能と、
登録された商品の価格変更情報を、登録している携帯メールアドレスの内、この商品の価格変更情報を希望している会員のもの宛てに電子メールで送信する機能とを有することを特徴とする価格変更通知サーバとしたものである。
【０００６】
また請求項２の発明では、店の出口に設置されている非接触ＩＣカードリーダーとも、ネットワークで接続されており、
店の出口に設置されている非接触ＩＣカードリーダーから携帯メールアドレスを受信して、この携帯メールアドレスの登録を削除する機能も有することを特徴とする請求項１に記載の価格変更通知サーバとしたものである。
【０００７】
また請求項３の発明では、店の商品売場に設置され各商品カテゴリーに各々対応する非接触ＩＣカードリーダーと、店の端末と、ネットワークで接続されているサーバが実行する方法であって、
非接触ＩＣカードリーダーから、携帯メールアドレスを受信して、この非接触ＩＣカードリーダーに対応する商品カテゴリーに属する商品の価格変更情報を、この携帯メールアドレスに送信することを、この携帯メールアドレスを持つ会員が希望しているとして、この携帯メールアドレスを登録する工程と、
端末にて、店の人に、商品の価格変更情報を登録させる工程と、
登録された商品の価格変更情報を、登録している携帯メールアドレスの内、この商品の価格変更情報を希望している会員のもの宛てに電子メールで送信する工程とを含むことを特徴とする価格変更通知方法としたものである。
【０００８】
また請求項４の発明では、店の出口に設置されている非接触ＩＣカードリーダーとも、ネットワークで接続されており、
店の出口に設置されている非接触ＩＣカードリーダーから携帯メールアドレスを受信して、この携帯メールアドレスの登録を削除する工程も含むことを特徴とする請求項３に記載の価格変更通知方法としたものである。
【発明の効果】
【０００９】
請求項１及び３の発明では、顧客は、携帯電話機を所持し、かつ会員になれば、価格変更がなされた商品の売場から離れていても、この価格変更を知ることができるという効果がある。従って、例えば、会員は、値下がなされた食料品の売場から離れていても、この値下を知ることができるので、賞味期限前に、食料品を完売できる可能性が大きくなるという効果が生じる。
【００１０】
請求項２及び４の発明では、会員は、店の外では、商品の価格変更情報を電子メールで送られてくるのを防止できるという効果がある。
【発明を実施するための最良の形態】
【００１１】
以下に、本発明の最良の一実施形態を説明する。
１．構成
本実施形態では、非接触ＩＣカードリーダーを、店の出口と、店の商品売場とに設置する。各非接触ＩＣカードリーダーは、図１に示すように、各端末と、価格変更通知サーバとが接続されているネットワークに接続される。この価格変更通知サーバは、携帯電話網にも接続されている。
【００１２】
ネットワークは、各非接触ＩＣカードリーダーと価格変更通知サーバとの間でデータ通信が可能であり、各端末と価格変更通知サーバとの間でデータ通信が可能であれば、その種類や形態に特に制限は無い。
【００１３】
端末は、携帯電話機などの携帯情報端末、或は、パソコンなどのコンピュータであって、店の人が、商品の価格変更情報を、価格変更通知サーバに登録するのに用いられる。
【００１４】
店の顧客の内、会員には、この会員の携帯メールアドレスを記録している非接触ＩＣカードが渡されている。この会員の携帯メールアドレスは、この非接触ＩＣカードを発行する際に、非接触ＩＣカード発行装置によって、この非接触ＩＣカードに書き込まれる。
【００１５】
非接触ＩＣカードリーダーに、非接触ＩＣカードをかざすと、この非接触ＩＣカードリーダーは、この非接触ＩＣカードから、この非接触ＩＣカードに記録されている携帯メールアドレスを読み取り、読み取った携帯メールアドレスを価格変更通知サーバに送信する。
【００１６】
商品売場では、図２に示すように、商品カテゴリーごとに、それぞれの商品カテゴリーに対応する非接触ＩＣカードリーダーが設置される。
【００１７】
価格変更通知サーバは、以下の（１）〜（５）の機能を有するコンピュータシステムである。
【００１８】
（１）非接触ＩＣカードリーダーから、携帯メールアドレスを受信する機能。
【００１９】
（２）店の商品売場に設置されている非接触ＩＣカードリーダーから携帯メールアドレスを受信した場合、この非接触ＩＣカードリーダーに対応する商品カテゴリーに属する商品の価格変更情報を、この携帯メールアドレスに送信することを、この携帯メールアドレスを持つ会員が希望しているとして、この携帯メールアドレスを登録する機能。
【００２０】
（３）店の出口に設置されている非接触ＩＣカードリーダーから携帯メールアドレスを受信した場合、この携帯メールアドレスの登録を削除する機能。
【００２１】
（４）端末にて、店の人に、商品の価格変更情報を登録させる機能。
【００２２】
（５）登録された商品の価格変更情報を、登録している携帯メールアドレスの内、この商品の価格変更情報を希望している会員のもの宛てに電子メールで送信する機能。
２．処理
以下に、価格変更通知サーバが係わる処理の流れの例を、図３のフローチャートに従って説明する。
Ｓ（ＳＴＥＰ）１；
会員は、店の商品売場で、希望の商品カテゴリーに対応する非接触ＩＣカードリーダーに、非接触ＩＣカードをかざす。
【００２３】
すると、非接触ＩＣカードリーダーは、非接触ＩＣカードから、非接触ＩＣカードに記録されている携帯メールアドレスを読み取り、読み取った携帯メールアドレスを価格変更通知サーバに送信する。
Ｓ（ＳＴＥＰ）２；
価格変更通知サーバは、非接触ＩＣカードリーダから、携帯メールアドレスを受信して、この非接触ＩＣカードリーダーに対応する商品カテゴリーに属する商品の価格変更情報を、この携帯メールアドレスに送信することを、この携帯メールアドレスを持つ会員が希望しているとして、この携帯メールアドレスを登録する。
Ｓ（ＳＴＥＰ）３；
店の人は、端末にて、商品の価格変更情報を、価格変更通知サーバに登録する。
【００２４】
すると、端末は、商品の価格変更情報を、価格変更通知サーバに送信する。
Ｓ（ＳＴＥＰ）４；
価格変更通知サーバは、端末から、商品の価格変更情報を受信して、この商品の価格変更情報を登録する。
Ｓ（ＳＴＥＰ）５；
価格変更通知サーバは、登録した商品の価格変更情報を、登録している携帯メールアドレスの内、この商品の価格変更情報を希望している会員のもの宛てに電子メールで送信する。
Ｓ（ＳＴＥＰ）６；
会員は、携帯電話機にて、商品の価格変更情報を受信して、この商品の価格変更情報を閲覧する。
Ｓ（ＳＴＥＰ）７；
会員は、店の出口で、非接触ＩＣカードリーダーに、非接触ＩＣカードをかざす。
【００２５】
すると、非接触ＩＣカードリーダーは、非接触ＩＣカードから、非接触ＩＣカードに記録されている携帯メールアドレスを読み取り、読み取った携帯メールアドレスを価格変更通知サーバに送信する。
Ｓ（ＳＴＥＰ）８；
価格変更通知サーバは、非接触ＩＣカードリーダーから、携帯メールアドレスを受信して、この携帯メールアドレスの登録を削除する。
【図面の簡単な説明】
【００２６】
【図１】本実施形態に係わるシステムの構成例を示す図。
【図２】商品売場に商品カテゴリーごとに配置された非接触ＩＣカードリーダーの例を示す図。
【図３】価格変更通知サーバが係わる処理の流れの例を示すフローチャート。
【図１】
2005157722.tif 000002
【図２】
2005157722.tif 000003
【図３】
2005157722.tif 000004